(57)【要約】      （修正有）【課題】電子カードとデュアル接触して係合できる電気コネクタを提供する。【解決手段】複数の受容スペースを備える絶縁性ハウジング１と、該複数の受容スペースにそれぞれ装入された複数の端子２と、絶縁性ハウジング１に回動可能に接続された操作部材３とを有する。操作部材３は絶縁性ハウジング１内の複数の端子２を制御して、電子カードと電気的及び機械的に係合するよう動かす。各端子は、基部と上方アームと下方アームとを備え、該上方アームは第１支点として働く点において該基部に接続されている。該下方アームは該基部に第２支点として働く別の点において接続されている。【選択図】図２
0003146200.tif 000002
【実用新案登録請求の範囲】
【請求項１】
電子カードとプリント回路基板とを電気的に接続するための電気コネクタであって、
複数の受容スペースを備える絶縁性ハウジングと、
該複数の受容スペースにそれぞれ装入された複数の端子と、
該絶縁性ハウジングに回動可能に接続された操作部材とを具備し、
前記絶縁性ハウジングは、前面と、後面と、上面と、該前面内に画成され、内部底面を有するスロットと、該後面の近くの該上面に画成され、対向する２つの内面を有する空洞と、並んで画成され該スロット及び該空洞と連通する複数の受容スペースとを備え、
前記複数の各端子は、基部と上方アームと下方アームとを備え、
該上方アームは該基部に平行な第１ビームと、該絶縁性ハウジングの該後面の方向に湾曲し第１支点として働く点において該基部に結合された円弧形の支持柱とを有し、
該第１ビームは該基部に平行で該絶縁性ハウジングの該前面の方向に延びる接触部と、該基部に平行で、該接触部と反対に該絶縁性ハウジングの該後面の方向に延びる嵌合部とを有し、
該下方アームは該接触部と該基部の間に位置し、該基部に平行な弾性接触部と、該弾性接触部に接続され該基部に第２支点として働く点において接続された円弧形の結合部とを有し、
前記操作部材は、絶縁性ハウジングの該空洞内に回動可能に接続され、複数の貫通チャネルと、該複数の貫通チャネルにそれぞれ形成された複数の回転基部とを備え、
該各回転基部は断面が楕円形であり、該端子の該嵌合部に回転可能に嵌合し、該嵌合部と該基部とに接触する電気コネクタ。
【請求項２】
前記上方アームは、前記接触部の先端から該下方アームに向って突出している三角形の上方突起を更に有する請求項１に記載の電気コネクタ。
【請求項３】
前記下方アームは、前記弾性接触部の先端から該上方アームに向って突出している三角形の下方突起を更に有する請求項１に記載の電気コネクタ。
【請求項４】
前記絶縁性ハウジングは、前記スロットの前記内部底面上で前記前面の近くに形成された阻止用リブを更に備える請求項１に記載の電気コネクタ。
【請求項５】
前記各端子の前記基部は、
該基部の一端に形成されたロック突起と、
該基部の別の端に形成され前記絶縁性ハウジングの外側に延在する端子部と
を更に有する請求項４に記載の電気コネクタ。
【請求項６】
前記嵌合部は、前記回転基部に嵌合する円弧状の面を有する請求項１に記載の電気コネクタ。
【請求項７】
前記絶縁性ハウジングに装着された１つ以上の装着板を更に備える請求項１に記載の電気コネクタ。
【請求項８】
前記装着板は、断面がＵ字形構造を有し、底板と、２つの側板部とを備え、該２つの側板部の一つは前記絶縁性ハウジングの外側に延在する請求項７に記載の電気コネクタ。
【請求項９】
前記装着板は、前記絶縁性ハウジング内の前記側板部から延びる装着アームを更に備える請求項８に記載の電気コネクタ。
【請求項１０】
前記装着板は、前記装着アームに形成されたロック突起を更に備える請求項９に記載の電気コネクタ。
【請求項１１】
前記装着板は、前記底板の一部と前記絶縁性ハウジングの外側に延在する前記側板部の一部とを貫通して形成された貫通孔を更に備える請求項８に記載の電気コネクタ。
【請求項１２】
前記空洞の対向する２つの内面のそれぞれに穴と溝とが形成され、
前記操作部材は、
該空洞の該穴に回転可能に嵌合しロックされる軸と、
該空洞の該２つの内面の該溝にそれぞれ装入される突起と
を更に有する請求項１に記載の電気コネクタ。
【考案の詳細な説明】
【技術分野】
【０００１】
本考案は、電子カードに電気的に接続する電気コネクタに関し、特に、デュアル接触により電子カードと電気的に係合する電気コネクタに関する。
【背景技術】
【０００２】
従来のコネクタと電子カードとの電子信号の接続は、コネクタに装着されたＴ字形又はＨ字形導電端子によって実現されている。
従来の各Ｔ字形又はＨ字形導電端子は、単一点で電子カードと接触するのみであるので、コネクタが電子カードと確実に係合することができない。
そのため、突然に予期せぬ力がコネクタに加わると、電子カードが容易にコネクタから外れてしまい、電子信号の伝達が中断される場合がある。
【０００３】
特許文献１は電子カード用の電気コネクタを開示する。
この電気コネクタは、操作手段と、絶縁性ハウジングと、複数の端子とを備える。
絶縁性ハウジングは両側の面を貫通して画成された受容スペースを有する。
該複数の端子はＴ字形又はＨ字形であり、該受容スペース内に並んで装着される。
レバー部材である該操作手段は、該受容スペース内に回動可能に装着され、回転可能に該絶縁性ハウジングの底板と端子とに接触する。
【０００４】
該操作手段を押す力が加えられると、操作手段は所定の位置へ回転し、該絶縁性ハウジングの一方の側において該端子を持ち上げ、てこの原理で他方の側において該端子が下方へ動く。
この結果、該受容スペースに挿入され保持された電子カードは、該他方の側において、絶縁性ハウジングと端子との間で締め付けられる。従ってコネクタと電子カードとの単一点での電気的接続を達成する。
【０００５】
しかし、各端子は電子カードに単一点で接触するだけである。
従ってコネクタが電子カードと緩く係合し、偶発的に容易に外れることがあるため、コネクタの信頼性を低下させている。
【０００６】
本考案は既述した欠点を解消するために成されたもので、本考案は上記の問題を解決した電気コネクタを提供するものである。
【特許文献１】米国特許第５，９０６，４９８号明細書
【考案の開示】
【課題を解決するための手段】
【０００７】
本考案の主な目的は、電子カードとのデュアル接触による改善された電気的及び機械的係合を提供する電気コネクタを提供することである。
【０００８】
本考案の電気コネクタは複数の受容スペースを備える絶縁性ハウジングと、該複数の受容スペースにそれぞれ装入された複数の端子と、該絶縁性ハウジングに回動可能に接続された操作部材とを有する。
該操作部材は該絶縁性ハウジング内の該複数の端子を制御して、電子カードと電気的及び機械的に係合するよう動かす。
各端子は、基部と上方アームと下方アームとを備え、該上方アームは第１支点として働く点において該基部に接続されている。
該下方アームは該基部に第２支点として働く別の点において接続されている。該操作部材が所定の位置に回転する時、上方アームと下方アームは、それぞれ該第１支点と第２支点の周りを回転し、電子カードを確実につかむ。
【０００９】
本考案の他の目的、利点、及び新規な特徴は、下記の詳細な説明と添付の図面からより明らかとなるであろう。
【考案を実施するための最良の形態】
【００１０】
図１、図２、図７を参照して説明する。
本考案の電気コネクタ５は、プリント回路基板８に装着され、絶縁性ハウジング１と、複数の導電端子２と、操作部材３と、省略可能な装着板４とを備える。
電気コネクタ５は、フレキシブルフラットケーブル（ＦＦＣ）、フレキシブルプリント回路（ＦＰＣ）等の電子カード９と電気的に係合可能である。
電子カード９はその上面か又は下面に信号伝達のための複数の導電性部分９１が形成されている。
【００１１】
図３を参照して説明すると、絶縁性ハウジング１は前面１１、後面１２、上面１３、スロット１４、空洞１５、複数の受容スペース１６、及び阻止用リブ１７を有する。
スロット１４はほぼ矩形であり、前面１１内に画成され、内部底面を有する。
空洞１５は後面１２の近くの上面１３に画成され、互いに対向する内面を有している。
この内面には穴１５１と溝１５２とが形成されている。
各受容スペース１６は絶縁性ハウジング１内に画成され、スロット１４及び空洞１５と連通する。阻止用リブ１７はスロット１４の該内部底面上で前面１１の近くに形成されている。
【００１２】
図２、図４を参照すると、各端子２は、絶縁性ハウジング１の受容スペース１６に装入される。
各端子２は、ほぼＪ字形の上方アーム２２に接続された基部２１と、下方アーム２３とを備える。
【００１３】
基部２１はロック突起２１１と端子部２１２を備える。ロック突起２１１は基部２１の一端から突出し、端子２が受容スペース１６内に保持された時、阻止用リブ１７の下に位置しこれに当接する。
端子部２１２は基部２１の他端から延び、電子カード９、プリント回路基板８等の２つの異なる電子装置間の信号伝達に使用される。
【００１４】
上方アーム２２は基部２１に平行な第１ビーム２２１と支持柱２２２とを備える。
支持柱２２２は円弧形であり、絶縁性ハウジング１の後面１２の方向に湾曲している。支持柱２２２は、第１ビーム２２１の中央に接続された第１端と、第１支点Ｐ１として働く基部２１の中心に接続された第２端とを有する。
【００１５】
第１ビーム２２１は、接触部２２３と、嵌合部２２４と、省略可能な上方突起２２５とを備える。接触部２２３は基部２１に平行であり、絶縁性ハウジング１の前面１１の方向に延びている。
嵌合部２２４は基部２１に平行であり、接触部２２３と反対に後面１２の方向に延びている。ほぼ三角形の上方突起２２５は、接触部２２３の先端から突出している。
【００１６】
下方アーム２３は、接触部２２３と基部２１の間に位置し、弾性接触部２３１と、円弧形の結合部２３２と、省略可能な下方突起２３３とを備える。弾性接触部２３１は基部２１に平行である。
円弧形の結合部２３２は、弾性接触部２３１に接続された第１端と、基部２１に第２支点Ｐ２として働く点において接続された第２端とを有する。
ほぼ三角形の下方突起２３３は、弾性接触部２３１の先端から突出し、上方突起２２５に対応し、電子カード９に電気接続するために阻止用リブ１７の上に位置する。
【００１７】
図２、図５を参照すると、操作部材３が絶縁性ハウジング１の空洞１５内に回動可能に結合され、制御レバー部３１と、複数の貫通チャネル３２と、複数の回転基部３３と、軸３４と、突起３５とを備える。
【００１８】
各端子２の嵌合部２２４は貫通チャネル３２に装入される。
回転基部３３は各貫通チャネル３２に設けられ、端子２の嵌合部２２４に嵌合又は係合する。
各回転基部３３は断面が楕円形であるので、嵌合部２２４は回転基部３３に嵌合する円弧状の面を有し、回転基部３３と嵌合部２２４とのより滑らかな相対的回転を実現してもよい。
操作部材３に設けられた軸３４は、絶縁性ハウジング１に形成された穴１５１に回転可能に嵌合しロックされ、操作部材３が絶縁性ハウジング１から外れるのを防ぐ。
【００１９】
図６Ａ、図６Ｂを参照すると、電子カード９に相対的な電気コネクタ５の機械的動作を説明するために、２つの方向が矢印ＸとＹによって示されている。
【００２０】
図６Ａに示すように、操作部材３の制御レバー部３１が操作されておらず、Ｙ方向に延在する時、電気コネクタ５は開状態であり、電子カード９をスロット１４に挿入することができる。電子カード９の下面は下方アーム２３の結合部２３２に接触する。
【００２１】
図６Ｂに示すように、操作部材３の制御レバー部３１が押されて下方へ回転して、基部２１に平行なＸ方向に延在する時、電気コネクタ５は閉状態であり、電子カード９はスロット１４に確実に係合される。
操作部材３に形成された突起３５は、対応する空洞１５の内面の溝１５２に装入され、電気コネクタ５が容易に開状態にされるのを防ぐ。
【００２２】
操作部材３を下方の所定の位置へ回転すると、回転基部３３は嵌合部２２４と基部２１との間のギャップを広げる。
嵌合部２２４が押し上げられるので、接触部２２３は第１支点Ｐ１の周りに下方へ回転し、上方突起２２５はＹ方向に沿って下がり、電子カード９に当接し電気的に接触する。
【００２３】
また、電子カード９の下面は下方アーム２３の結合部２３２に当接するので、上方突起２２５が電子カード９を押し続ける間、電子カード９は結合部２３２を下方へ押す。
従って、下方アーム２３は第２支点Ｐ２の周りに下方へ回転し、基部２１に近づく。
【００２４】
弾性接触部２３１の先端、即ち、下方突起２３３が阻止用リブ１７上に支持されているので、弾性接触部２３１が徐々に第２支点Ｐ２の周りに回転する間、反作用で下方突起２３３は電子カード９の下面に当接する。下方突起２３３が阻止用リブ１７に重なる位置は仮想の支点Ｐ３として働く。
【００２５】
要約すると、電気コネクタ５の上方突起２２５と下方突起２３３とは、上方アーム２２と下方アーム２３がそれぞれ所定の位置へ回転し電子カード９を締め付けるのを可能にする２つの支点Ｐ１、Ｐ２に基づいて電子カード９にしっかりと接触可能である。言換えると、電気コネクタ５は、デュアル接触による電子カード９への改善された電気的接続を提供することができる。
【００２６】
上方突起２２５と下方突起２３３は三角形であるので、電気コネクタ５が閉状態の時、上方アーム２２と下方アーム２３が電子カード９をしっかりとつかみ、コネクタ５が衝撃又は振動により容易に開状態にされるのを防ぐことができる。
【００２７】
電子カード９の下面に導電性部分９１が形成されている場合、下方アーム２３と端子部２１２の間の信号伝達路はかなり短くなる。
【００２８】
図７、図８を参照すると、装着板４は断面がＵ字形構造を有し、底板４１と、２つの側板部４２、４３と、装着アーム４４と、ロック突起４５と、貫通孔４６とを備える。
２つの側板部４２、４３は、それぞれ底板４１の両縁から垂直に延びている。
装着アーム４４は１つの側板部４２から延在する。ロック突起４５は装着アーム４４の下縁に形成されている。
貫通孔４６は底板４１の一部と他方の側板部４３の一部を貫通して形成されている。
【００２９】
装着板４を電気コネクタ５に組み付ける時、装着アーム４４を持つ側板部４２が絶縁性ハウジング１内に延在し、ロック突起４５により絶縁性ハウジング１に係合する。
他方の側板部４３は外側に露出する。電気コネクタ５がプリント回路基板８上に装着される時、溶融したはんだは貫通孔４６へ流れ、電気コネクタ５とプリント回路基板８とを結合することができる。
【００３０】
本考案の多数の特徴と利点とを本考案の構造と機能との細部とともに上記において説明したが、本開示は例示であり、細部、特に部品の形、サイズ、及び配置の点において、変更がなされてもよい。これらの変更は、添付の請求項を記述するのに使用された用語の広義の意味によって定義される本考案の範囲内に入る。
【図面の簡単な説明】
【００３１】
【図１】電子カードと結合された本考案に係る電気コネクタの第１の実施形態の斜視図である。
【図２】図１の電気コネクタの展開斜視図である。
【図３】本考案に係る図１の電気コネクタの絶縁性ハウジングの断面斜視図である。
【図４】本考案に係る図１の電気コネクタの端子の側面図である。
【図５】本考案に係る図１の電気コネクタの操作部材の横断面図である。
【図６Ａ】操作部材に力を加えていない場合の本考案に係る電気コネクタの動作断面図である。
【図６Ｂ】操作部材を押して下方へ回転させた場合の本考案に係る電気コネクタの動作断面図である。
【図７】電子カードと結合された本考案に係る電気コネクタの第２の実施形態の斜視図である。
【図８】本考案に係る図７の電気コネクタの装着板の斜視図である。
【符号の説明】
【００３２】
１  絶縁性ハウジング
２  端子
３  操作部材
５  電気コネクタ
８  プリント回路基板
１１  前面
１２  後面
１３  上面
１４  スロット
１５  空洞
１６  受容スペース
１７  阻止用リブ
２１  基部
２２  上方アーム
２３  下方アーム
３１  制御レバー部
３２  貫通チャネル
３３  回転基部
２１１  ロック突起
２１２  端子部
２２１  第１ビーム
２２２  支持柱
２２３  接触部
２２４  嵌合部
２３１  弾性接触部
２３２  円弧形の結合部
Ｐ１  第１支点
Ｐ２  第２支点
【図１】
0003146200.tif 000003
【図２】
0003146200.tif 000004
【図３】
0003146200.tif 000005
【図４】
0003146200.tif 000006
【図５】
0003146200.tif 000007
【図６Ａ】
0003146200.tif 000008
【図６Ｂ】
0003146200.tif 000009
【図７】
0003146200.tif 000010
【図８】
0003146200.tif 000011